(57)【要約】【課題】データ入力画面に配置された複数の画面部品に統一性をもたせるための確認作業に要する手間と時間を簡略化する。【解決手段】データ入力画面毎に形成され、その画面上に配置された各画面部品の位置，サイズ等の表示属性に関する情報を格納してなる入力画面情報ファイルを記憶する記憶部を設ける。記憶部から任意のデータ入力画面の入力画面情報ファイルを読み出したならば、この入力画面情報ファイルの情報に基づきデータ入力画面を表示する。そして、このデータ入力画面を構成する各種の画面部品について、少なくとも一部の属性項目が共通する部品を他と区別して表示させる。【選択図】      図６
2008140330.tif 000002
【特許請求の範囲】
【請求項１】
ベース画面上に各種の画面部品を配置してコンピュータシステムのデータ入力画面を作成する画面作成装置において、
前記データ入力画面毎に形成され、その画面上に配置された各画面部品の位置，サイズ等の表示属性に関する情報を格納してなる入力画面情報ファイルを記憶する記憶部と、
前記記憶部から任意のデータ入力画面の入力画面情報ファイルを読み出すファイル読出し手段と、
このファイル読出し手段により読み出された入力画面情報ファイルの情報に基づきデータ入力画面を表示する画面表示手段と、
この画面表示手段により表示されたデータ入力画面を構成する各種の画面部品について、少なくとも一部の属性項目が共通する部品を他と区別して表示させる表示制御手段と、
を具備したことを特徴とする画面作成装置。
【請求項２】
データ入力画面を構成する画面部品の中からいずれか１つの画面部品が指定されるのを受付ける部品受付手段、をさらに具備し、
前記表示制御手段は、前記部品受付手段により指定入力を受付けた画面部品と同一種類で少なくとも一部の属性項目が共通する部品を他と区別して表示させることを特徴とする請求項１記載の画面作成装置。
【請求項３】
画面部品の表示属性項目の中から少なくとも一項目が選択されるのを受付ける項目受付手段、をさらに具備し、
前記表示制御手段は、前記項目受付手段により選択入力を受付けた項目が共通する部品を他と区別して表示させることを特徴とする請求項１記載の画面作成装置。
【請求項４】
画面部品の表示属性項目の中から少なくとも一項目の選択入力を受付ける項目受付手段、をさらに具備し、
前記表示制御手段は、前記部品受付手段により指定入力を受付けた画面部品と同一種類で、かつ前記項目受付手段により選択入力を受付けた項目が共通する部品を他と区別して表示させることを特徴とする請求項２記載の画面作成装置。
【請求項５】
前記ファイル読出し手段は、同時に複数のデータ入力画面の入力画面情報ファイルを読み出すことが可能であり、
複数のデータ入力画面の入力画面情報ファイルが読み出された場合は、画面表示手段は、同時にその複数の入力画面情報ファイルの情報に基づくデータ入力画面を表示可能であり、
前記表示制御手段は、複数のデータ入力画面について、少なくとも一部の属性項目が共通する部品を他と区別して表示させることを特徴とする請求項１記載の画面作成装置。
【請求項６】
コンピュータ上で動作し、ベース画面上に各種の画面部品を配置してコンピュータシステムのデータ入力画面を作成する画面作成プログラムであって、
前記コンピュータに、
前記データ入力画面毎にその画面上に配置された各画面部品の位置，サイズ等の表示属性に関する情報を格納してなる入力画面情報ファイルを形成し当該コンピュータに接続された記憶部に記憶させる機能と、
前記記憶部から任意のデータ入力画面の入力画面情報ファイルを読み出す機能と、
前記記憶部から読み出された入力画面情報ファイルの情報に基づき当該コンピュータに接続された表示部にデータ入力画面を表示させる機能と、
前記表示部に表示されたデータ入力画面を構成する各種の画面部品について、少なくとも一部の属性項目が共通する部品を他と区別して表示させる機能と、
を実現させるための画面作成プログラム。
【請求項７】
前記コンピュータに、
当該コンピュータに接続された入力部を介して前記データ入力画面を構成する画面部品の中からいずれか１つの画面部品が指定されるのを受付ける機能をさらに実現させ、
前記入力部を介して指定入力を受付けた画面部品と同一種類で少なくとも一部の属性項目が共通する部品を他と区別して表示させるようにしたことを特徴とする請求項６記載の画面作成プログラム。
【請求項８】
前記コンピュータに、
当該コンピュータに接続された入力部を介して画面部品の表示属性項目の中から少なくとも一項目が選択されるのを受付ける機能をさらに実現させ、
前記入力部を介して選択入力を受付けた項目が共通する部品を他と区別して表示させるようにしたことを特徴とする請求項６記載の画面作成プログラム。
【請求項９】
前記コンピュータに、
当該コンピュータに接続された入力部を介して画面部品の表示属性項目の中から少なくとも一項目が選択されるのを受付ける機能をさらに実現させ、
前記入力部を介して指定入力を受付けた画面部品と同一種類で、かつ前記入力部を介して選択入力を受付けた項目が共通する部品を他と区別して表示させるようにしたことを特徴とする請求項７記載の画面作成プログラム。
【請求項１０】
前記記憶部から入力画面情報ファイルを読み出す機能は、同時に複数のデータ入力画面の入力画面情報ファイルを読み出すことを可能とし、
複数のデータ入力画面の入力画面情報ファイルが読み出された場合は、同時にその複数の入力画面情報ファイルの情報に基づくデータ入力画面を表示部に表示させ、
複数のデータ入力画面について、少なくとも一部の属性項目が共通する部品を他と区別して表示させるようにしたことを特徴とする請求項６記載の画面作成プログラム。
【発明の詳細な説明】
【技術分野】
【０００１】
本発明は、コンピュータシステムのデータ入力画面を作成する画面作成装置、及びコンピュータ上での前記データ入力画面作成機能を実現させるための画面作成プログラムに関する。
【背景技術】
【０００２】
コンピュータシステム上で動作するアプリケーションプログラムによりデータ入力を伴う場合のデータ入力方法としては、ディスプレイに所定のデータ入力画面を表示させ、キーボード等の入力装置によって当該入力画面上に入力されたデータを取込む方法が一般的である。そして、このようなデータ入力方法を実現するためには、アプリケーションプログラムを開発する際に所望のデータ入力画面を作成する必要がある。通常、データ入力画面は、ベースとなる画面上にエディットボックス，ボタン等の各種の画面部品を適宜配置することによって作成される。
【０００３】
従来、この種のデータ入力画面を作成する場合において、プログラム開発者の画面設計に要する時間や労力を抑制する方法は、種々提案されている（例えば、特許文献１参照）。
【特許文献１】特開２００６−９９５４５号公報
【発明の開示】
【発明が解決しようとする課題】
【０００４】
ところで、データ入力画面を作成する場合において、ベース画面上に画面部品を配置する際には、プログラム開発者によって部品毎に表示位置やサイズ等の表示属性が設定されるが、その設定内容は、部品毎に画面上で確認することができる。そこで、例えば同一サイズの画面部品が複数配置されたデータ入力画面を作成する際、プログラム開発者は、ベース画面上に各画面部品を配置した後、各画面部品の設定内容を一つ一つ画面に表示させ比較することによって、サイズにずれがないか確認していた。
【０００５】
また、複数のデータ入力画面にそれぞれ配置された画面部品に統一性を持たせる場合も、プログラム開発者は同様に、画面上に各画面部品の設定内容を表示させ比較することによって、統一性の有無を確認していた。
【０００６】
このように、従来の技術においては、データ入力画面に配置された画面部品の設定内容を画面に表示させ、プログラム開発者が比較照合することで、画面部品の表示位置，サイズ等の表示属性のずれを確認していたので、比較対象となる部品数や画面数が増加すればするほど手間と時間がかかり、画面作成作業の効率を低下させる問題があった。
【０００７】
本発明はこのような事情に基づいてなされたもので、その目的とするところは、データ入力画面に配置された複数の画面部品に統一性をもたせるための確認作業に要する手間と時間を簡略化でき、画面作成作業の効率を高めることができる画面作成装置及び画面作成プログラムを提供しようとするものである。
【課題を解決するための手段】
【０００８】
本発明の画面作成装置は、ベース画面上に各種の画面部品を配置することによりコンピュータシステムのデータ入力画面を作成する装置であって、データ入力画面毎に形成され、その画面上に配置された各画面部品の位置，サイズ等の表示属性に関する情報を格納してなる入力画面情報ファイルを記憶する記憶部と、記憶部から任意のデータ入力画面の入力画面情報ファイルを読み出すファイル読出し手段と、このファイル読出し手段により読み出された入力画面情報ファイルの情報に基づきデータ入力画面を表示する画面表示手段と、この画面表示手段により表示されたデータ入力画面を構成する各種の画面部品について、少なくとも一部の属性項目が共通する部品を他と区別して表示させる表示制御手段とを備えたものである。
【０００９】
本発明の画面作成プログラムは、コンピュータ上で動作し、ベース画面上に各種の画面部品を配置してコンピュータシステムのデータ入力画面を作成するプログラムであって、コンピュータに、データ入力画面毎にその画面上に配置された各画面部品の位置，サイズ等の表示属性に関する情報を格納してなる入力画面情報ファイルを形成し当該コンピュータに接続された記憶部に記憶させる機能と、記憶部から任意のデータ入力画面の入力画面情報ファイルを読み出す機能と、記憶部から読み出された入力画面情報ファイルの情報に基づき当該コンピュータに接続された表示部にデータ入力画面を表示させる機能と、表示部に表示されたデータ入力画面を構成する各種の画面部品について、少なくとも一部の属性項目が共通する部品を他と区別して表示させる機能とを実現させるものである。
【発明の効果】
【００１０】
かかる手段を講じた本発明によれば、データ入力画面に配置された複数の画面部品に統一性をもたせるための確認作業に要する手間と時間を簡略化でき、画面作成作業の効率を高めることができる画面作成装置及び画面作成プログラムを提供できる。
【発明を実施するための最良の形態】
【００１１】
以下、本発明を実施するための最良の形態について図面を用いて説明する。  
図１は、コンピュータシステムのデータ入力画面を作成する画面作成装置１の要部構成を示すブロック図である。図示するように画面作成装置１は、ＣＰＵ（Central Processing Unit）を主体としてコンピュータを構成する制御部１０と、この制御部１０に接続される主記憶部１１、補助記憶部１２、プログラム実行部１３、入力部１４及び表示部１５で構成されている。
【００１２】
主記憶部１１は、ＲＯＭ（Read Only Memory）及びＲＡＭ（Random Access Memory）で構成されている。ＲＡＭ領域には、画面情報バッファ１６としてのエリアが確保されている。
【００１３】
補助記憶部１２は、ハードディスク，光ディスク，光磁気ディスク等の大容量記憶媒体とそのドライブ装置とによって構成されている。補助記憶部１２には、画面作成プログラム等の種々のプログラムデータが保存されたプログラムファイルの他、データ入力画面毎に形成され、その画面上に配置された各画面部品の位置，サイズ等の表示属性に関する情報を格納してなる複数ｎ（ｎ＞１）の入力画面情報ファイル１７（１７-1〜１７-n）等が記憶されている。
【００１４】
プログラム実行部１３は、プログラムファイルに保存されたプログラムを実行する。入力部１４は、キーボード，マウス等のコンピュータ用の入力デバイスとして機能するものである。表示部１５は、液晶ディスプレイ，ＣＲＴディスプレイ等のコンピュータ用の表示デバイスとして機能するものである。
【００１５】
図２は、本実施の形態の画面作成装置１で作成されるデータ入力画面の一例を示している。このデータ入力画面２０を構成する各種画面部品の配置及び名称は、図３に示すように設定されている。
【００１６】
すなわちデータ入力画面２０は、「年月日」及び「得意先名」の入力欄からなるヘッダ部２１と、５行分の「商品名」，「数量」，「単価」及び「金額」の各入力欄からなる明細部２２と、「締め」及び「終了」の各ボタンが配置されたボタン部２３とから構成されている。
【００１７】
ヘッダ部２１は、年月日を示すテキストデータを編集するためのエディットボックスＥｄｉｔ１と、得意先名を示すテキストデータを編集するためのエディットボックスＥｄｉｔ２とから構成されている。
【００１８】
明細部２２は、それぞれ商品名を示すテキストデータを編集するための５行分のエディットボックスＥｄｉｔ１１〜Ｅｄｉｔ１５と、それぞれ数量を示すテキストデータを編集するための５行分のエディットボックスＥｄｉｔ２１〜Ｅｄｉｔ２５と、それぞれ単価を示すテキストデータを編集するための５行分のエディットボックスＥｄｉｔ３１〜Ｅｄｉｔ３５と、それぞれ金額を示すテキストデータを編集するための５行分のエディットボックスＥｄｉｔ４１〜Ｅｄｉｔ４５とから構成されている。
【００１９】
ボタン部２３は、明細入力の終了を宣言する「締め」のコマンドボタンＢｕｔｔｏｎ１と、プログラムの終了を宣言する「終了」のコマンドボタンＢｕｔｔｏｎ２とから構成されている。
【００２０】
因みに、各エディットボックスは、コンピュータシステムの入力デバイスであるキーボードのテキストキー入力等を受付けるものである。各コマンドボタンは、同じくコンピュータシステムの入力デバイスであるマウスのクリック入力等を受付けるものである。
【００２１】
このようなデータ入力画面２０に対応した入力画面情報ファイル１７の主要なデータ構造を図４に示す。図示するように、入力画面情報ファイル１７には、データ入力画面２０を構成する画面部品数（この場合は２４個）までの１からの連続番号にそれぞれ対応して、各画面部品の表示属性項目（名称，種別，Ｘ座標，Ｙ座標，幅，高さ等）に関するデータが記憶されている。
【００２２】
ここで、画面部品の名称は、各画面部品にそれぞれ付されたユニークな名称（Ｅｄｉｔ１，Ｅｄｉｔ２等）である。種別は、対応する画面部品の種類（エディットボックス，コマンドボタン等）である。Ｘ座標及びＹ座標は、対応する画面部品のデータ入力画面２０上の位置座標である。幅及び高さは、対応する画面部品の表示サイズである。
【００２３】
次に、本実施の形態における画面作成装置１の主要な動作手順について、図２に示したデータ入力画面２０を作成（編集・確認）する場合を例に図７の流れ図を用いて説明する。なお、この動作は、前記プログラム実行部１３において前記画面作成プログラムが実行されることによって制御されるものである。
【００２４】
すなわち前記画面作成プログラムが起動すると、制御部１０は、先ず、ステップＳ１として初期化処理を行う。具体的には、主記憶部１１，プログラム実行部１３，入力部１４及び表示部１５を初期化する。
【００２５】
初期化を終了すると、制御部１０は、ステップＳ２として、補助記憶部１２に記憶されている各入力画面情報ファイル１７-1〜１７-nのなかからいずれか１つの入力画面情報ファイル１７-i（１≦ｉ≦ｎ）の読出しが指令されるのを待機する。ここで、入力部１４を介していずれか１つの入力画面情報ファイル１７が選択され、その読出しが指令されたならば、制御部１０は、ステップＳ３として補助記憶部１２からその入力画面情報ファイル１７を読み出し、画面情報バッファ１６に格納する（ファイル読出し手段）。そして、ステップＳ４としてこの画面情報バッファ１６内の入力画面情報ファイル１７に記憶されたデータに基づき、表示部１５にデータ入力画面２０を表示させる（画面表示手段）。
【００２６】
今、図３に示した入力画面情報ファイル１７の読出しが指令されたとする。この場合、表示部１５には、図２及び図３に示す如く、ベース画面上に、エディットボックスＥｄｉｔ１，Ｅｄｉｔ２，Ｅｄｉｔ１１〜Ｅｄｉｔ１５，Ｅｄｉｔ２１〜Ｅｄｉｔ２５，Ｅｄｉｔ３１〜Ｅｄｉｔ３５，Ｅｄｉｔ４１〜Ｅｄｉｔ４５及びコマンドボタンＢｕｔｔｏｎ１，Ｂｕｔｔｏｎ２の各画面部品が、それぞれヘッダ部２１、明細部２２及びボタン部２３を形成するように配置されたデータ入力画面２０が表示される。
【００２７】
しかる後、制御部１０は、ステップＳ５として入力受付状態となる。この場合の入力としては、表示中のデータ入力画面２０に対する編集入力と、このデータ入力画面２０を構成する画面部品のうちいずれか１つの画面部品に対する設定比較入力と、画面作成業務の終了入力とがある。制御部１０は、入力部１４を介していずれかの入力があると、ステップＳ６としてその入力内容を判定する。
【００２８】
ここで、入力内容が編集入力であった場合には、制御部１０は、ステップＳ７としてデータ入力画面２０の編集処理を実行する。編集処理には、ベース画面上に各種の画面部品を貼り付けて配置する処理、ベース画面上の画面部品を移動，削除またはコピーする処理、画面部品毎に合わせ位置，文字色，背景色，文字サイズ，文字修飾等を設定する処理等が含まれる。この編集処理は、入力部１４からの入力に基づいて処理する。また、この編集処理に応じて、画面情報バッファ１６内の画面情報ファイル１７を更新する。編集処理を終了すると、制御部１０は、ステップＳ５に戻り、次の入力を受付ける。
【００２９】
一方、制御部１０は、ステップＳ５の入力受付状態において、表示部１５に表示されたデータ入力画面２０を構成する各種画面部品の中からいずれか１つの画面部品が指定されるのを受付けている（部品受付手段）。そして、例えば入力部１４の操作により表示部１５に表示されているポインタがいずれかの画面部品上で操作入力されると、その画面部品が指定されたものとみなす。そして、メニュー項目リストが表示される。以後、指定された画面部品を基準画面部品と称する。この状態で、入力部１４を介してメニュー項目リストの中から「設定比較」が選択入力されると、制御部１０は、ステップＳ８として設定比較項目の選択入力を受付ける（項目受付手段）。
【００３０】
具体的には、制御部１０は、図５に示すように、Ｘ座標，Ｙ座標，幅，高さ，合わせ位置，文字色，背景色，文字サイズ，立体表示，枠線表示等の画面部品に関する各種表示属性項目と、そのチェックボックスとを対応付けて表示した設定比較項目選択画面３０を表示部１５に表示させる。そして、少なくとも１つの項目に対応するチェックボックスがチェックされ、ＯＫボタンが操作入力されるのを待機する。
【００３１】
入力部１４を介してＯＫボタンが操作入力されたならば、制御部１０は、ステップＳ９として画面情報バッファ１６内の入力画面情報ファイル１７を検索する。そして、チェックボックスにチェックが入っている項目のデータに関して、基準画面部品とその他の画面部品との間で比較する。その結果、ステップＳ１０として、基準画面部品とチェック項目のデータが完全に一致する画面部品が存在したならば、その画面部品を一致しない他の画面部品と区別して表示する（表示制御手段）。区別表示の例については後述する。しかる後、制御部１０は、ステップＳ５に戻り、次の入力を受付ける。
【００３２】
ステップＳ５において、入力内容が終了入力であった場合には、制御部１０は、ステップＳ１１として画面情報バッファ１６内の入力画面情報ファイル１７を補助記憶部１２に保存する。しかる後、制御部１０は、ステップＳ１２として主記憶部１１，プログラム実行部１３，入力部１４及び表示部１５の終了処理を行う。以上で、画面作成プログラムが終了する。
【００３３】
このように本実施の形態においては、図２に示すデータ入力画面２０が表示部１５に表示されている状態、すなわち、図４に示す内容の入力画面情報ファイル１７が画面情報バッファ１６に記憶されている状態で、明細部２２の左上のエディットボックスＥｄｉｔ１１を指定し、続いてメニュー項目リストから「設定比較」を選択すると、図５に示す設定比較項目選択画面３０が表示部１５に表示される。
【００３４】
ここで、項目「幅」と「高さ」にチェックを入れ、ＯＫボタンを操作すると、入力画面情報ファイル１７が検索され、エディットボックスＥｄｉｔ１１と幅［１０］及び高さ［１］が一致する画面部品が選択される。この場合は、エディットボックスＥｄｉｔ１２，エディットボックスＥｄｉｔ１３，エディットボックスＥｄｉｔ１４及びエディットボックスＥｄｉｔ１５の各画面部品が選択される。そして、図６に示すように、これらのエディットボックスＥｄｉｔ１１〜Ｅｄｉｔ１５に対してのみ選択状態を示すマーク（黒四角）が表示されて、選択されていない他の画面部品と区別される。なお、図６の画面例において、枠３１内には、基準画面部品の選択属性項目（この場合は幅と高さ）のデータが表示されている。
【００３５】
その結果、オペレータは、選択した画面部品（エディットボックスＥｄｉｔ１１）と、同一のマークが表示された画面部品（エディットボックスＥｄｉｔ１２〜Ｅｄｉｔ１５）とは、幅と高さが一致していることを容易に認識することができる。
【００３６】
上記例において、設定比較項目選択画面３０で項目「Ｙ座標」にチェックを入れ、ＯＫボタンを操作すると、入力画面情報ファイル１７が検索され、エディットボックスＥｄｉｔ１１とＹ座標［６］が一致する画面部品が選択される。この場合は、エディットボックスＥｄｉｔ２１，エディットボックスＥｄｉｔ３１及びエディットボックスＥｄｉｔ４１の各画面部品が選択される。そして、これらのエディットボックスＥｄｉｔ１１，Ｅｄｉｔ２１，Ｅｄｉｔ３１及びＥｄｉｔ４１に対してのみ選択状態を示すマークが表示されて、選択されていない他の画面部品と区別される。
【００３７】
その結果、オペレータは、選択した画面部品（エディットボックスＥｄｉｔ１１）と、同一のマークが表示された画面部品（エディットボックスＥｄｉｔ２１，Ｅｄｉｔ３１及びＥｄｉｔ４１）とは、画面上のＹ座標が一致していることを容易に認識することができる。
【００３８】
このように本実施の形態によれば、作成中のデータ入力画面２０において、基準画面部品と比較対象となる画面部品とが、画面位置やサイズ等の表示属性項目について統一されているか否かを確認する作業を簡単に行なうことができる。したがって、画面作成作業の効率を向上させることができる。特に、比較対象となる部品数や画面数が増加しても、その手間と時間は変わらないので、作業効率向上の効果は極めて大きいものとなる。
【００３９】
なお、この発明は前記実施形態そのままに限定されるものではなく、実施段階ではその要旨を逸脱しない範囲で構成要素を変形して具体化できる。
【００４０】
例えば前記実施の形態では、図７のステップＳ２の処理で読み出される入力画面情報ファイル１７の数を１つとしたが、２つ以上を読み出して同様に処理するようにしてもよい。
【００４１】
図８は、２つのデータ入力画面２０Ａ，２０Ｂにそれぞれ対応した入力画面情報ファイル１７-1，１７-2を選択した場合の表示部１５の表示例である。この状態で、前述した具体例と同様に、一方のデータ入力画面２０ＡのエディットボックスＥｄｉｔ１１を指定し、さらに設定比較項目選択画面３０において項目「幅」と「高さ」にチェックを入れてＯＫボタンを操作する。そうすると、図８に示す如く、双方のデータ入力画面２０Ａ，２０Ｂにおいて、項目「幅」と「高さ」がエディットボックスＥｄｉｔ１１一致する全てのエディットボックスに対して選択状態を示すマーク（黒四角）が表示されて、他の画面部品と区別される。その結果、複数のデータ入力画面に跨って、基準画面部品と比較対象となる画面部品とが表示属性項目について統一されているか否かを確認する作業を簡単に行なうことができるようになる。
【００４２】
コンピュータシステム上で動作するアプリケーションプログラムにおいて、複数のデータ入力画面を必要とする場合、画面表示形式の統一は操作性の観点から大変重要である。本実施の形態によれば、同時に複数のデータ入力画面２０Ａ，２０Ｂについて、各画面部品の統一性を簡単に評価できるので、そのメリットは非常に大きいものとなる。
【００４３】
なお、前記実施の形態では、データ入力画面を構成する画面部品の中からいずれか１つの画面部品が指定されるのを受付ける部品受付手段と、画面部品の表示属性項目の中から少なくとも一項目が選択されるのを受付ける項目受付手段とを設けたが、いずれか一方の手段あるいは両手段を省略したものも、本発明に含まれるものである。
【００４４】
例えば、部品受付手段を省略する実施形態としては、図５に示す設定比較項目選択画面において所望の項目が選択入力されると、表示部１５に表示されているデータ入力画面２０上において、選択入力された項目のデータが一致する画面部品どうしをそれぞれ識別可能なように表示させる画面作成装置が考えられる。なお、識別可能なように表示させる方法としては、一致する画面部品どうしを同一色として色で区別する方法や、同一のマークで囲ってマークで区別する方法等が考えられる。
【００４５】
また、項目受付手段を省略する実施形態としては、図２に示すデータ入力画面２０上において、いずれか１つの画面部品が指定されると、その指定された画面部品と任意の表示属性項目が一致する画面部品を他の画面部品と区別させて表示させる画面作成装置が考えられる。
【００４６】
さらに、部品受付手段及び項目受付手段を省略する実施形態としては、図２に示すデータ入力画面２０を表示させた際に、自動的に任意の表示属性項目が一致する画面部品どうしをそれぞれ識別可能なように表示させる画面作成装置が考えられる。
【００４７】
また、本実施の形態では補助記憶部１２に画面作成プログラムが予め記憶されているものとして説明をしたが、これに限らず画面作成プログラムをネットワークから装置にダウンロードしても良いし、同様の機能を記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と協働してその機能を実現させるものであってもよい。
【００４８】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００４９】
【図１】本発明の一実施の形態である画面作成装置の要部構成を示すブロック図。
【図２】同実施の形態におけるデータ入力画面の一例を示す模式図。
【図３】図２のデータ入力画面を構成する各種画面部品の配置及び名称を示す模式図。
【図４】図２のデータ入力画面に対応した入力画面情報ファイルの主要なデータ例を示す模式図。
【図５】同実施の形態における設定比較項目選択画面の一例を示す模式図。
【図６】同実施の形態において、属性項目が共通する画面部品を他の画面部品と区別して表示する一例を示す模式図。
【図７】同実施の形態において、プログラム実行部で画面作成プログラムを実行したときの主要な動作手順を示す流れ図。
【図８】本発明の他の実施の形態において、属性項目が共通する画面部品を他の画面部品と区別して表示する一例を示す模式図。
【符号の説明】
【００５０】
１…画面作成装置、１０…制御部、１１…主記憶部、１２…補助記憶部、１３…プログラム実行部、１４…入力部、１５…表示部、１６…画面情報バッファ、１７…入力画面情報ファイル、２０，２０Ａ，２０Ｂ…データ入力画面、３０…設定比較項目選択画面。
【図１】
2008140330.tif 000003
【図２】
2008140330.tif 000004
【図３】
2008140330.tif 000005
【図４】
2008140330.tif 000006
【図５】
2008140330.tif 000007
【図６】
2008140330.tif 000008
【図７】
2008140330.tif 000009
【図８】
2008140330.tif 000010